(57)【要約】【課題】トラヒック容量の低下および消費電力の増大を抑制しつつ、異周波間バンドオーバを実現する。【解決手段】異周波測定要否判定手段１３ａは、異周波測定要否情報１２ａを参照することで、異周波数の品質の測定を移動局２２に実施させるか否かを判定し、コンプレストモード設定手段１３ｂは、異周波数の品質の測定を移動局２２に実施させる必要があると判定された場合、その移動局２２についてコンプレストモードが起動中であるかどうかを判定し、その移動局２２についてコンプレストモードが起動中でない場合、その移動局２２および無線基地局２１ａ〜２１ｃにコンプレストモードを起動するように指示する。【選択図】      図１
2008289071.tif 000002
【特許請求の範囲】
【請求項１】
異周波数の品質の測定の要否をセル単位で特定する異周波測定要否情報に基づいて、前記異周波数の品質の測定を移動局に実施させるか否かを判定する異周波測定要否判定手段と、
前記異周波測定要否判定手段による判定結果に基づいて前記異周波数の品質の測定を前記移動局に指示する異周波測定指示手段とを備えることを特徴とする無線制御装置。
【請求項２】
前記異周波測定要否判定手段は、
前記移動局と通信リンクを確立している全てのセルについて異周波数の品質の測定が要である場合に、前記異周波数の品質の測定を前記移動局に実施させる必要があると判定し、
前記移動局と通信リンクを確立している１以上のセルについて異周波数の品質の測定が不要である場合に、前記異周波数の品質の測定を前記移動局に実施させる必要がないと判定することを特徴とする請求項１記載の無線制御装置。
【請求項３】
異周波数の品質の測定の要否をセル単位で特定する異周波測定要否情報と、移動局と通信中の無線基地局における送信電力値に基づいて、前記異周波数の品質の測定を前記移動局に実施させるか否かを判定する異周波測定要否判定手段と、
前記異周波測定要否判定手段による判定結果に基づいて前記異周波数の品質の測定を前記移動局に指示する異周波測定指示手段とを備えることを特徴とする無線制御装置。
【請求項４】
前記異周波測定要否判定手段は、
前記移動局と通信リンクを確立している全てのセルについて異周波数の品質の測定が要であり、かつ前記移動局と通信中の１以上の無線基地局における送信電力値が閾値以上である場合に、前記異周波数の品質の測定を前記移動局に実施させる必要があると判定し、
前記移動局と通信リンクを確立している１以上のセルについて異周波数の品質の測定が不要であるか、または前記移動局と通信中の全ての無線基地局における送信電力値が閾値より小さい場合に、前記異周波数の品質の測定を前記移動局に実施させる必要がないと判定することを特徴とする請求項３記載の無線制御装置。
【請求項５】
前記異周波測定指示手段は、
前記異周波測定要否判定手段による判定結果が測定要であり、かつ前記移動局が前記異周波数の品質の測定中でない場合、前記異周波数の品質の測定を前記移動局に開始させ、
前記異周波測定要否判定手段による判定結果が測定不要であり、かつ前記移動局が前記異周波数の品質の測定中である場合、前記異周波数の品質の測定を前記移動局に停止させることを特徴とする請求項１から４のいずれか１項記載の無線制御装置。
【請求項６】
前記異周波測定指示手段は、
前記異周波数の品質の測定を前記移動局に開始させる場合、前記移動局と通信中の無線基地局に前記異周波数の品質を測定するための伝送制御を開始させ、
前記異周波数の品質の測定を前記移動局に停止させる場合、前記移動局と通信中の無線基地局に前記異周波数の品質を測定するための伝送制御を停止させることを特徴とする請求項１から５のいずれか１項記載の無線制御装置。
【請求項７】
複数のセルに分割された無線区間の通信リンクを制御する無線制御装置と、
前記セルを切り替えながらネットワークと通信する移動局と、
前記セルにおいて前記移動局と通信リンクを確立する無線基地局とを備える移動通信システムにおいて、
前記無線制御装置は、
異周波数の品質の測定の要否をセル単位で特定する異周波測定要否情報に基づいて、前記異周波数の品質の測定を移動局に実施させるか否かを判定する異周波測定要否判定手段と、
前記異周波測定要否判定手段による判定結果に基づいて前記異周波数の品質の測定を前記移動局に指示する異周波測定指示手段とを備えることを特徴とする移動通信システム。
【請求項８】
複数のセルに分割された無線区間の通信リンクを制御する無線制御装置と、
前記セルを切り替えながらネットワークと通信する移動局と、
前記セルにおいて前記移動局と通信リンクを確立する無線基地局とを備える移動通信システムにおいて、
前記無線制御装置は、
異周波数の品質の測定の要否をセル単位で特定する異周波測定要否情報と、移動局と通信中の無線基地局における送信電力値に基づいて、前記異周波数の品質の測定を前記移動局に実施させるか否かを判定する異周波測定要否判定手段と、
前記異周波測定要否判定手段による判定結果に基づいて前記異周波数の品質の測定を前記移動局に指示する異周波測定指示手段とを備えることを特徴とする移動通信システム。
【請求項９】
異周波数の品質の測定の要否をセル単位で特定する異周波測定要否情報に基づいて、前記異周波数の品質の測定を移動局に実施させるか否かを無線制御装置にて判定するステップと、
前記異周波数の品質の測定を移動局に実施させる必要があると判定された場合、前記異周波数の品質の測定に必要な情報を前記移動局と無線基地局に通知するステップと、
前記無線基地局にて前記異周波数の品質を測定するための伝送制御を行いながら、前記移動局にて前記異周波数の品質の測定を実施するステップと、
前記移動局における前記異周波数の品質の測定結果に基づいて、異周波間バンドオーバを行うステップとを備えることを特徴とする異周波間バンドオーバ制御方法。
【請求項１０】
移動局と通信中の無線基地局における送信電力値を無線制御装置に通知するステップと、
異周波数の品質の測定の要否をセル単位で特定する異周波測定要否情報と、前記移動局と通信中の無線基地局における送信電力値に基づいて、前記異周波数の品質の測定を移動局に実施させるか否かを無線制御装置にて判定するステップと、
前記異周波数の品質の測定を移動局に実施させる必要があると判定された場合、前記異周波数の品質の測定に必要な情報を前記移動局と前記無線基地局に通知するステップと、
前記無線基地局にて前記異周波数の品質を測定するための伝送制御を行いながら、前記移動局にて前記異周波数の品質の測定を実施するステップと、
前記移動局における前記異周波数の品質の測定結果に基づいて、異周波間バンドオーバを行うステップとを備えることを特徴とする異周波間バンドオーバ制御方法。
【発明の詳細な説明】
【技術分野】
【０００１】
本発明は無線制御装置、移動通信システムおよび異周波間バンドオーバ制御方法に関し、特に、異周波間バンドオーバにおいて異周波測定の要否を判定する方法に適用して好適なものである。
【背景技術】
【０００２】
ＩＭＴ−２０００の移動通信システムの無線伝送方式の一つにＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式がある。このＷ−ＣＤＭＡ方式では、１つの周波数を複数の利用者で共有でき、同じ周波数をどのセルにおいても繰り返して使用するため、同一システムでは異周波間バンドオーバの必要性はない。
【０００３】
しかし、実際には、トラヒック容量の増大や柔軟なエリア設計を可能とするために同一システム内で複数の周波数が使用され、都市部などのトラヒック容量の高いエリアでは多くの周波数で運用し、山間部などのトラヒック容量の低いエリアでは少ない周波数で運用するというように、セルによって運用されている周波数が異なる場合がある。このため、運用周波数が異なるセル間を通信が切断されることなく移動するには、異周波間バンドオーバが必要となる。
【０００４】
異周波間バンドオーバを実現するには、バンドオーバ先のセルを決定するため、使用中の周波数とは異なる周波数（以下、異周波数と言う）の品質を移動局にて測定する必要がある。Ｗ−ＣＤＭＡ方式では、連続送信の形態が通常使用され、通信中に異周波数の品質を測定するには、複数の受信装置を移動局に実装するか、あるいはデータの送受信を一時的に停止し、その間に異周波数の品質を測定する必要がある。
データの送受信の停止中に異周波数の品質を測定する方法を用いて異周波間バンドオーバを実現する技術として、コンプレストモードが提案されている（非特許文献１）。
【０００５】
このコンプレストモードでは、無線基地局が、送信フレームの一部区間についてデータの送信を一時的に停止し、その間にバンドオーバ先の候補となる異周波数の品質が移動局にて測定される。この時、無線制御装置はコンプレストモードへの移行を決定し、無線基地局と移動局に対して異周波数の品質の測定に必要な情報が通知される。
ここで、コンプレストモードにおける異周波数の品質の測定中にはデータ送信ができないため、非送信区間の前後で送信データを圧縮し、送信電力を増加させながら送信データを高速伝送することで、所定の伝送速度が保たれる。
【０００６】
【非特許文献１】３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，２５．２１１  Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ，２００２年９月
【発明の開示】
【発明が解決しようとする課題】
【０００７】
しかしながら、異周波間バンドオーバを実現するためにコンプレストモードを多用すると、送信電力が増加することから他のユーザの通信への干渉を引き起こし、システム全体のトラヒック容量を低下させたり、移動局における消費電力の増大を招いたりするという問題があった。
そこで、本発明の目的は、トラヒック容量の低下および消費電力の増大を抑制しつつ、異周波間バンドオーバを実現することが可能な無線制御装置、移動通信システムおよび異周波間バンドオーバ制御方法を提供することである。
【課題を解決するための手段】
【０００８】
上述した課題を解決するために、請求項１記載の無線制御装置によれば、異周波数の品質の測定の要否をセル単位で特定する異周波測定要否情報に基づいて、前記異周波数の品質の測定を移動局に実施させるか否かを判定する異周波測定要否判定手段と、前記異周波測定要否判定手段による判定結果に基づいて前記異周波数の品質の測定を前記移動局に指示する異周波測定指示手段とを備えることを特徴とする。
【０００９】
また、請求項２記載の無線制御装置によれば、前記異周波測定要否判定手段は、前記移動局と通信リンクを確立している全てのセルについて異周波数の品質の測定が要である場合に、前記異周波数の品質の測定を前記移動局に実施させる必要があると判定し、前記移動局と通信リンクを確立している１以上のセルについて異周波数の品質の測定が不要である場合に、前記異周波数の品質の測定を前記移動局に実施させる必要がないと判定することを特徴とする。
【００１０】
また、請求項３記載の無線制御装置によれば、異周波数の品質の測定の要否をセル単位で特定する異周波測定要否情報と、移動局と通信中の無線基地局における送信電力値に基づいて、前記異周波数の品質の測定を前記移動局に実施させるか否かを判定する異周波測定要否判定手段と、前記異周波測定要否判定手段による判定結果に基づいて前記異周波数の品質の測定を前記移動局に指示する異周波測定指示手段とを備えることを特徴とする。
【００１１】
また、請求項４記載の無線制御装置によれば、前記異周波測定要否判定手段は、前記移動局と通信リンクを確立している全てのセルについて異周波数の品質の測定が要であり、かつ前記移動局と通信中の１以上の無線基地局における送信電力値が閾値以上である場合に、前記異周波数の品質の測定を前記移動局に実施させる必要があると判定し、前記移動局と通信リンクを確立している１以上のセルについて異周波数の品質の測定が不要であるか、または前記移動局と通信中の全ての無線基地局における送信電力値が閾値より小さい場合に、前記異周波数の品質の測定を前記移動局に実施させる必要がないと判定することを特徴とする。
【００１２】
また、請求項５記載の無線制御装置によれば、前記異周波測定指示手段は、前記異周波測定要否判定手段による判定結果が測定要であり、かつ前記移動局が前記異周波数の品質の測定中でない場合、前記異周波数の品質の測定を前記移動局に開始させ、前記異周波測定要否判定手段による判定結果が測定不要であり、かつ前記移動局が前記異周波数の品質の測定中である場合、前記異周波数の品質の測定を前記移動局に停止させることを特徴とする。
【００１３】
また、請求項６記載の無線制御装置によれば、前記異周波測定指示手段は、前記異周波数の品質の測定を前記移動局に開始させる場合、前記移動局と通信中の無線基地局に前記異周波数の品質を測定するための伝送制御を開始させ、前記異周波数の品質の測定を前記移動局に停止させる場合、前記移動局と通信中の無線基地局に前記異周波数の品質を測定するための伝送制御を停止させることを特徴とする。
【００１４】
また、請求項７記載の移動通信システムによれば、複数のセルに分割された無線区間の通信リンクを制御する無線制御装置と、前記セルを切り替えながらネットワークと通信する移動局と、前記セルにおいて前記移動局と通信リンクを確立する無線基地局とを備える移動通信システムにおいて、前記無線制御装置は、異周波数の品質の測定の要否をセル単位で特定する異周波測定要否情報に基づいて、前記異周波数の品質の測定を移動局に実施させるか否かを判定する異周波測定要否判定手段と、前記異周波測定要否判定手段による判定結果に基づいて前記異周波数の品質の測定を前記移動局に指示する異周波測定指示手段とを備えることを特徴とする。
【００１５】
また、請求項８記載の移動通信システムによれば、複数のセルに分割された無線区間の通信リンクを制御する無線制御装置と、前記セルを切り替えながらネットワークと通信する移動局と、前記セルにおいて前記移動局と通信リンクを確立する無線基地局とを備える移動通信システムにおいて、前記無線制御装置は、異周波数の品質の測定の要否をセル単位で特定する異周波測定要否情報と、移動局と通信中の無線基地局における送信電力値に基づいて、前記異周波数の品質の測定を前記移動局に実施させるか否かを判定する異周波測定要否判定手段と、前記異周波測定要否判定手段による判定結果に基づいて前記異周波数の品質の測定を前記移動局に指示する異周波測定指示手段とを備えることを特徴とする。
【００１６】
また、請求項９記載の異周波間バンドオーバ制御方法によれば、異周波数の品質の測定の要否をセル単位で特定する異周波測定要否情報に基づいて、前記異周波数の品質の測定を移動局に実施させるか否かを無線制御装置にて判定するステップと、前記異周波数の品質の測定を移動局に実施させる必要があると判定された場合、前記異周波数の品質の測定に必要な情報を前記移動局と無線基地局に通知するステップと、前記無線基地局にて前記異周波数の品質を測定するための伝送制御を行いながら、前記移動局にて前記異周波数の品質の測定を実施するステップと、前記移動局における前記異周波数の品質の測定結果に基づいて、異周波間バンドオーバを行うステップとを備えることを特徴とする。
【００１７】
また、請求項１０記載の異周波間バンドオーバ制御方法によれば、移動局と通信中の無線基地局における送信電力値を無線制御装置に通知するステップと、異周波数の品質の測定の要否をセル単位で特定する異周波測定要否情報と、前記移動局と通信中の無線基地局における送信電力値に基づいて、前記異周波数の品質の測定を移動局に実施させるか否かを無線制御装置にて判定するステップと、前記異周波数の品質の測定を移動局に実施させる必要があると判定された場合、前記異周波数の品質の測定に必要な情報を前記移動局と前記無線基地局に通知するステップと、前記無線基地局にて前記異周波数の品質を測定するための伝送制御を行いながら、前記移動局にて前記異周波数の品質の測定を実施するステップと、前記移動局における前記異周波数の品質の測定結果に基づいて、異周波間バンドオーバを行うステップとを備えることを特徴とする。
【発明の効果】
【００１８】
以上説明したように、本発明によれば、周波数を切り替える必要性の高いセルについてのみ異周波数の品質の測定を移動局に行わせることが可能となる。このため、周波数を切り替える必要性の低いセルについても異周波数の品質の測定が一律に行われるのを防止することができ、トラヒック容量の低下および消費電力の増大を抑制しつつ、異周波間バンドオーバを実現することが可能となる。
【発明を実施するための最良の形態】
【００１９】
以下、本発明の実施形態に係る無線制御装置について図面を参照しながら説明する。
図１は、本発明の一実施形態に係る無線制御装置が適用される移動通信システムの概略構成を示すブロック図である。
図１において、移動通信システムには、複数のセルに分割された無線区間の通信リンクを制御する無線制御装置１１が設けられ、無線基地局２１ａ〜２１ｃとコアネットワーク６とは無線制御装置１１を介して接続されている。そして、携帯電話などの移動局２２と通信リンクが確立される無線区間はセルに分割され、無線基地局２１ａには、運用周波数ｆ１の無線ゾーンＺａ１および運用周波数ｆ２の無線ゾーンＺａ２が形成され、無線基地局２１ｂには、運用周波数ｆ１の無線ゾーンＺｂ１および運用周波数ｆ２の無線ゾーンＺｂ２が形成され、無線基地局２１ｃには、運用周波数ｆ１の無線ゾーンＺｃ１が形成されている。
【００２０】
そして、無線制御装置１１は、セルの品質などの情報から適切な通信リンクが確立されるセルを判定し、そのセルにおける移動局２２と無線基地局２１ａ〜２１ｃとの通信リンクを確立することで、移動局２２とコアネットワーク１６との通信を実現することができる。なお、Ｗ−ＣＤＭＡ方式の移動通信システムでは、通信状況によって、移動局２２は最大で３本の通信リンクを同時に設定することができる。
ここで、無線制御装置１１には、コンプレストモードの起動や停止の制御などを行う情報を記憶する情報記憶部１２、コンプレストモードの起動や停止の制御などを行う制御部１３、無線基地局２１ａ〜２１ｃとの間で信号の送受信を行う送受信部１４およびコアネットワーク１６との間で信号の送受信を行う送受信部１５が設けられている。
【００２１】
そして、情報記憶部１２には、異周波数の品質の測定の要否をセル単位で示す異周波測定要否情報１２ａおよび移動局２２と通信中の無線基地局２１ａ〜２１ｃにおける送信電力値１２ｂを記憶することができる。なお、異周波測定要否情報１２ａは、周波数を切り替える必要性の高いセルについては異周波数の品質の測定要、周波数を切り替える必要性の低いセルについては異周波数の品質の測定不要として、異周波数の品質の測定の要否をセル単位で示すことができる。
【００２２】
また、制御部１３には、異周波測定要否情報１２ａに基づいて、異周波数の品質の測定を移動局２２に実施させるか否かを判定する異周波測定要否判定手段１３ａおよび異周波測定要否判定手段１３ａによる判定結果に基づいてコンプレストモードを設定するコンプレストモード設定手段１３ｂが設けられている。なお、異周波測定要否判定手段１３ａは、異周波測定要否情報１２ａとともに送信電力値１２ｂを考慮することで、異周波数の品質の測定を移動局２２に実施させるか否かを判定するようにしてもよい。
【００２３】
そして、無線制御装置１１は、セルの品質などの情報から適切な通信リンクが確立されるセルを判定し、そのセルにおける移動局２２と無線基地局２１ａ〜２１ｃとの通信リンクを確立する。そして、移動局２２と無線基地局２１ａ〜２１ｃとの通信リンクが確立されると、無線基地局２１ａ〜２１ｃは、移動局２２と通信中の無線基地局２１ａ〜２１ｃにおける送信電力値１２ｂを無線制御装置１１に通知し、無線制御装置１１は、その送信電力値１２ｂを情報記憶部１２に記憶することができる。
【００２４】
そして、異周波測定要否判定手段１３ａは、通信中のセルの追加、削除または入れ替えを契機として、異周波測定要否情報１２ａを参照し、異周波数の品質の測定を移動局２２に実施させるか否かを判定する。なお、異周波測定要否判定手段１３ａは、移動局２２と通信リンクを確立している全てのセルについて異周波数の品質の測定が要である場合に、異周波数の品質の測定を移動局２２に実施させる必要があると判定することができる。また、異周波測定要否判定手段１３ａは、移動局２２と通信リンクを確立している１以上のセルについて異周波数の品質の測定が不要である場合に、異周波数の品質の測定を移動局２２に実施させる必要がないと判定することができる。
【００２５】
そして、異周波数の品質の測定を移動局２２に実施させる必要があると判定された場合、コンプレストモード設定手段１３ｂは、その移動局２２についてコンプレストモードが起動中であるかどうかを判定する。そして、その移動局２２についてコンプレストモードが起動中でない場合、その移動局２２および無線基地局２１ａ〜２１ｃにコンプレストモードを起動するように指示する。
【００２６】
そして、移動局２２および無線基地局２１ａ〜２１ｃは、コンプレストモードを起動するように無線制御装置１１から指示されると、無線基地局２１ａ〜２１ｃは、送信フレームの一部区間についてデータの送信を一時的に停止し、移動局２２はその間にバンドオーバ先の候補となる異周波数の品質を測定する。そして、バンドオーバ先の候補となる異周波数の品質が良い場合、無線制御装置１１は、異周波間バンドオーバを移動局２２に実施するように指示することで、運用周波数ｆ１、ｆ２が互いに異なるセル間を通信が切断されることなく移動することができる。
【００２７】
一方、異周波測定要否判定手段１３ａにおいて、異周波数の品質の測定を移動局２２に実施させる必要がないと判定された場合、コンプレストモード設定手段１３ｂは、その移動局２２についてコンプレストモードが起動中であるかどうかを判定する。そして、その移動局２２についてコンプレストモードが起動中である場合、その移動局２２および無線基地局２１ａ〜２１ｃにコンプレストモードを停止するように指示する。
【００２８】
そして、移動局２２および無線基地局２１ａ〜２１ｃは、コンプレストモードを停止するように無線制御装置１１から指示されると、移動局２２はバンドオーバ先の候補となる異周波数の品質の測定を中止するとともに、無線基地局２１ａ〜２１ｃは、コンプレストモードの起動に伴って停止されていた区間についてのデータの送信を再開する。
なお、異周波測定要否判定手段１３ａは、異周波測定要否情報１２ａとともに送信電力値１２ｂを考慮することで、異周波数の品質の測定を移動局２２に実施させるか否かを判定するようにしてもよい。
【００２９】
この場合、異周波測定要否判定手段１３ａは、通信中のセルの追加、削除または入れ替え、あるいは無線基地局２１ａ〜２１ｃからの送信電力値１２ｂの通知を契機として、異周波測定要否情報１２ａおよび送信電力値１２ｂを参照することができる。そして、異周波測定要否判定手段１３ａは、移動局２２と通信リンクを確立している全てのセルについて異周波数の品質の測定が要であり、かつ移動局２２と通信中の１以上の無線基地局２１ａ〜２１ｃにおける送信電力値１２ｂが閾値以上である場合に、異周波数の品質の測定を移動局２２に実施させる必要があると判定することができる。また、異周波測定要否判定手段１３ａは、移動局２２と通信リンクを確立している１以上のセルについて異周波数の品質の測定が不要であるか、または移動局２２と通信中の全ての無線基地局２１ａ〜２１ｃにおける送信電力値１２ｂが閾値より小さい場合に、異周波数の品質の測定を移動局２２に実施させる必要がないと判定することができる。
【００３０】
これにより、周波数を切り替える必要性の高いセルについてのみ異周波数の品質の測定を移動局２２に行わせることが可能となる。このため、周波数を切り替える必要性の低いセルについても異周波数の品質の測定が一律に行われるのを防止することができ、トラヒック容量の低下および消費電力の増大を抑制しつつ、異周波間バンドオーバを実現することが可能となる。
【００３１】
図２は、本発明の一実施形態に係る異周波間バンドオーバの制御方法を示すブロック図である。
図２において、運用周波数ｆ１の無線ゾーンＺａ１はセルＣ１ａ〜Ｃ１ｎに分割され、運用周波数ｆ２の無線ゾーンＺａ２はセルＣ２ａ〜Ｃ２ｎに分割され、運用周波数ｆ１の無線ゾーンＺｂ１はセルＣ３ａ〜Ｃ３ｎに分割され、運用周波数ｆ２の無線ゾーンＺｂ２はセルＣ４ａ〜Ｃ４ｎに分割され、運用周波数ｆ１の無線ゾーンＺｃ１はセルＣ５ａ〜Ｃ５ｎに分割されているものとする。
【００３２】
そして、異周波測定要否情報１２ａには、セルＣ４ａ〜Ｃ４ｎについては異周波数の品質の測定要、セルＣ１ａ〜Ｃ１ｎ、Ｃ２ａ〜Ｃ２ｎ、Ｃ３ａ〜Ｃ３ｎ、Ｃ５ａ〜Ｃ５ｎについては異周波数の品質の測定不要と記述されているものとする。
そして、移動局２２は、運用周波数ｆ２の無線ゾーンＺａ２において、セルＣ２ｂにおける通信リンクを確立しながら、無線ゾーンＺｃ１の方向に移動しているものとする。そして、移動局２２は、無線ゾーンＺｂ２に近づくと（Ｐ１）、セルＣ２ｂにおける通信リンクを確立しながら、セルＣ４ａにおける通信リンクを新たに確立する。そして、セルＣ４ａにおける通信リンクが新たに確立されると、異周波測定要否判定手段１３ａは、異周波測定要否情報１２ａを参照し、移動局２２と通信リンクを確立している全てのセルＣ２ｂ、Ｃ４ａについて異周波数ｆ１の品質の測定が要であるかどうかを判定する。
【００３３】
ここで、異周波測定要否情報１２ａには、移動局２２と通信リンクを確立しているセルＣ２ｂについては、異周波数ｆ１の品質の測定が不要であると記述されているので、移動局２２と通信リンクを確立している全てのセルＣ２ｂ、Ｃ４ａについて異周波数ｆ１の品質の測定が要であるという条件を満たさない。このため、異周波測定要否判定手段１３ａは、異周波数ｆ１の品質の測定を移動局２２に実施させる必要がないと判定し、コンプレストモードの起動が防止される。
【００３４】
さらに、移動局２２は、セルＣ２ｂ、Ｃ４ａにおける通信リンクを確立しながら無線ゾーンＺｃ１の方向に移動すると（Ｐ２）、セルＣ２ｂにおける通信リンクを削除する。そして、セルＣ２ｂにおける通信リンクが削除されると、異周波測定要否判定手段１３ａは、異周波測定要否情報１２ａを参照し、移動局２２と通信リンクを確立している全てのセルＣ４ａについて異周波数ｆ１の品質の測定が要であるかどうかを判定する。
【００３５】
ここで、異周波測定要否情報１２ａには、移動局２２と通信リンクを確立しているセルＣ４ａについては、異周波数ｆ１の品質の測定が要であると記述され、移動局２２はセルＣ４ａにおける通信リンクのみを確立しているので、移動局２２と通信リンクを確立している全てのセルＣ４ａについて異周波数ｆ１の品質の測定が要であるという条件を満たす。このため、異周波測定要否判定手段１３ａは、異周波数ｆ１の品質の測定を移動局２２に実施させる必要がある判定する。そして、コンプレストモード設定手段１３ｂは、異周波数ｆ１の品質の測定を移動局２２に実施させる必要があると判定された場合、その移動局２２についてコンプレストモードが起動中であるかどうかを判定し、その移動局２２についてコンプレストモードが起動中でない場合、その移動局２２および無線基地局２１ｂにコンプレストモードを起動するように指示する。
【００３６】
そして、移動局２２および無線基地局２１ｂは、コンプレストモードを起動するように無線制御装置１１から指示されると、無線基地局２１ｂは、送信フレームの一部区間についてデータの送信を一時的に停止し、移動局２２はその間にバンドオーバ先の候補となる異周波数ｆ１の品質を測定する。そして、バンドオーバ先の候補となる異周波数ｆ１の品質が良い場合、無線制御装置１１は、異周波間バンドオーバを移動局２２に実施するように指示し、運用周波数ｆ１の無線ゾーンＺｂ１において、セルＣ３ｂにおける通信リンクを新たに確立する（Ｐ３）。
そして、セルＣ３ｂにおける通信リンクが新たに確立されると、異周波測定要否判定手段１３ａは、異周波測定要否情報１２ａを参照し、移動局２２と通信リンクを確立している全てのセルＣ３ｂについて異周波数ｆ２の品質の測定が要であるかどうかを判定する。
【００３７】
ここで、異周波測定要否情報１２ａには、移動局２２と通信リンクを確立しているセルＣ３ｂについては、異周波数ｆ２の品質の測定が不要であると記述されているので、移動局２２と通信リンクを確立している全てのセルＣ３ｂについて異周波数ｆ２の品質の測定が要であるという条件を満たさない。このため、異周波測定要否判定手段１３ａは、異周波数ｆ２の品質の測定を移動局２２に実施させる必要がないと判定する。そして、コンプレストモード設定手段１３ｂは、異周波数の品質の測定を移動局２２に実施させる必要がないと判定された場合、その移動局２２についてコンプレストモードが起動中であるかどうかを判定し、その移動局２２についてコンプレストモードが起動中である場合、その移動局２２および無線基地局２１ｂにコンプレストモードを停止するように指示する。
【００３８】
そして、移動局２２および無線基地局２１ｂは、コンプレストモードを停止するように無線制御装置１１から指示されると、移動局２２はバンドオーバ先の候補となる異周波数ｆ２の品質の測定を中止するとともに、無線基地局２１ｂは、コンプレストモードの起動に伴って停止されていた区間についてのデータの送信を再開する。
そして、移動局２２は、セルＣ３ｂにおける通信リンクを確立しながら無線ゾーンＺｃ１の方向に移動すると（Ｐ４）、セルＣ３ｂにおける通信リンクを維持しながら、セルＣ５ａにおける通信リンクを新たに確立する。そして、セルＣ５ａにおける通信リンクが新たに確立されると、異周波測定要否判定手段１３ａは、異周波測定要否情報１２ａを参照し、移動局２２と通信リンクを確立している全てのセルＣ３ｂ、Ｃ５ａについて異周波数ｆ２の品質の測定が要であるかどうかを判定する。
【００３９】
ここで、異周波測定要否情報１２ａには、移動局２２と通信リンクを確立しているセルＣ５ａについては、異周波数ｆ２の品質の測定が不要であると記述されているので、移動局２２と通信リンクを確立している全てのセルＣ３ｂ、Ｃ５ａについて異周波数ｆ２の品質の測定が要であるという条件を満たさない。このため、異周波測定要否判定手段１３ａは、異周波数ｆ２の品質の測定を移動局２２に実施させる必要がないと判定し、コンプレストモードの起動が防止される。
【００４０】
さらに、移動局２２は、セルＣ３ｂ、Ｃ５ａにおける通信リンクを確立しながら無線ゾーンＺｃ１の方向に移動すると（Ｐ５）、セルＣ３ｂにおける通信リンクを削除する。そして、セルＣ３ｂにおける通信リンクが削除されると、異周波測定要否判定手段１３ａは、異周波測定要否情報１２ａを参照し、移動局２２と通信リンクを確立している全てのセルＣ５ａについて異周波数ｆ２の品質の測定が要であるかどうかを判定する。
【００４１】
ここで、異周波測定要否情報１２ａには、移動局２２と通信リンクを確立しているセルＣ５ａについては、異周波数ｆ２の品質の測定が不要であると記述されているので、移動局２２と通信リンクを確立している全てのセルＣ５ａについて異周波数ｆ２の品質の測定が要であるという条件を満たさない。このため、異周波測定要否判定手段１３ａは、異周波数ｆ２の品質の測定を移動局２２に実施させる必要がないと判定し、コンプレストモードの起動が防止される。
【００４２】
あるいは、異周波測定要否判定手段１３ａは、異周波測定要否情報１２ａとともに送信電力値１２ｂを考慮することで、異周波数の品質の測定を移動局２２に実施させるか否かを判定することもできる。
この場合、移動局２２は、運用周波数ｆ２の無線ゾーンＺａ２において、セルＣ２ｂにおける通信リンクを確立しながら、無線ゾーンＺｃ１の方向に移動しているものとする。そして、移動局２２は、無線ゾーンＺｂ２に近づくと（Ｐ１）、セルＣ２ｂにおける通信リンクを確立しながら、セルＣ４ａにおける通信リンクを新たに確立する。そして、セルＣ４ａにおける通信リンクが新たに確立されると、異周波測定要否判定手段１３ａは、異周波測定要否情報１２ａを参照し、移動局２２と通信リンクを確立している全てのセルＣ２ｂ、Ｃ４ａについて異周波数ｆ１の品質の測定が要であるかどうかを判定する。
【００４３】
ここで、異周波測定要否情報１２ａには、移動局２２と通信リンクを確立しているセルＣ２ｂについては、異周波数ｆ１の品質の測定が不要であると記述されているので、移動局２２と通信リンクを確立している全てのセルＣ２ｂ、Ｃ４ａについて異周波数ｆ１の品質の測定が要であるという条件を満たさない。このため、異周波測定要否判定手段１３ａは、異周波数ｆ１の品質の測定を移動局２２に実施させる必要がないと判定し、コンプレストモードの起動が防止される。
【００４４】
さらに、移動局２２は、セルＣ２ｂ、Ｃ４ａにおける通信リンクを確立しながら無線ゾーンＺｃ１の方向に移動すると（Ｐ２）、セルＣ２ｂにおける通信リンクを削除する。そして、セルＣ２ｂにおける通信リンクが削除されると、異周波測定要否判定手段１３ａは、異周波測定要否情報１２ａを参照し、移動局２２と通信リンクを確立している全てのセルＣ４ａについて異周波数ｆ１の品質の測定が要であるかどうかを判定する。
【００４５】
ここで、異周波測定要否情報１２ａには、移動局２２と通信リンクを確立しているセルＣ４ａについては、異周波数ｆ１の品質の測定が要であると記述され、移動局２２はセルＣ４ａにおける通信リンクのみを確立しているので、移動局２２と通信リンクを確立している全てのセルＣ４ａについて異周波数ｆ１の品質の測定が要であるという条件を満たす。
そして、移動局２２と通信リンクを確立している全てのセルＣ４ａについて異周波数ｆ１の品質の測定が要である場合、移動局２２と通信中の無線基地局２１ｂにおける送信電力値１２ｂが閾値以上であるかどうかを判定する。
【００４６】
そして、移動局２２が無線基地局２１ｂから離れている場合、移動局２２と通信中の無線基地局２１ｂにおける送信電力値１２ｂが大きくなるため、その送信電力値１２ｂが閾値以上となる。このため、異周波測定要否判定手段１３ａは、異周波数ｆ１の品質の測定を移動局２２に実施させる必要があると判定する。
そして、コンプレストモード設定手段１３ｂは、異周波数ｆ１の品質の測定を移動局２２に実施させる必要があると判定された場合、その移動局２２についてコンプレストモードが起動中であるかどうかを判定し、その移動局２２についてコンプレストモードが起動中でない場合、その移動局２２および無線基地局２１ｂにコンプレストモードを起動するように指示する。
【００４７】
そして、移動局２２および無線基地局２１ｂは、コンプレストモードを起動するように無線制御装置１１から指示されると、無線基地局２１ｂは、送信フレームの一部区間についてデータの送信を一時的に停止し、移動局２２はその間にバンドオーバ先の候補となる異周波数ｆ１の品質を測定する。そして、移動局２２が異周波間バンドオーバを実施することなく、無線ゾーンＺｃ１の方向にさらに移動し、無線基地局２１ｂに近づくと、移動局２２と通信中の無線基地局２１ｂにおける送信電力値１２ｂが小さくなるため、その送信電力値１２ｂが閾値より小さくなる。このため、異周波測定要否判定手段１３ａは、異周波数ｆ１の品質の測定を移動局２２に実施させる必要がないと判定する。
【００４８】
そして、コンプレストモード設定手段１３ｂは、異周波数の品質の測定を移動局２２に実施させる必要がないと判定された場合、その移動局２２についてコンプレストモードが起動中であるかどうかを判定し、その移動局２２についてコンプレストモードが起動中である場合、その移動局２２および無線基地局２１ｂにコンプレストモードを停止するように指示する。
【００４９】
そして、移動局２２および無線基地局２１ｂは、コンプレストモードを停止するように無線制御装置１１から指示されると、移動局２２はバンドオーバ先の候補となる異周波数ｆ２の品質の測定を中止するとともに、無線基地局２１ｂは、コンプレストモードの起動に伴って停止されていた区間についてのデータの送信を再開する。
そして、移動局２２は、セルＣ４ａにおける通信リンクを確立しながら無線ゾーンＺｃ１の方向にさらに移動し、移動局２２が無線基地局２１ｂから離れると、移動局２２と通信中の無線基地局２１ｂにおける送信電力値１２ｂが大きくなるため、その送信電力値１２ｂが閾値以上となる。このため、異周波測定要否判定手段１３ａは、異周波数ｆ１の品質の測定を移動局２２に実施させる必要があると判定する。
【００５０】
そして、コンプレストモード設定手段１３ｂは、異周波数ｆ１の品質の測定を移動局２２に実施させる必要があると判定された場合、その移動局２２についてコンプレストモードが起動中であるかどうかを判定し、その移動局２２についてコンプレストモードが起動中でない場合、その移動局２２および無線基地局２１ｂにコンプレストモードを起動するように指示する。
【００５１】
そして、移動局２２および無線基地局２１ｂは、コンプレストモードを起動するように無線制御装置１１から指示されると、無線基地局２１ｂは、送信フレームの一部区間についてデータの送信を一時的に停止し、移動局２２はその間にバンドオーバ先の候補となる異周波数ｆ１の品質を測定する。そして、バンドオーバ先の候補となる異周波数ｆ１の品質が良い場合、無線制御装置１１は、異周波間バンドオーバを移動局２２に実施するように指示し、運用周波数ｆ１の無線ゾーンＺｂ１において、セルＣ３ｂにおける通信リンクを新たに確立する（Ｐ３）。
【００５２】
そして、セルＣ３ｂにおける通信リンクが新たに確立されると、異周波測定要否判定手段１３ａは、異周波測定要否情報１２ａを参照し、移動局２２と通信リンクを確立している全てのセルＣ３ｂについて異周波数ｆ２の品質の測定が要であるかどうかを判定する。
ここで、異周波測定要否情報１２ａには、移動局２２と通信リンクを確立しているセルＣ３ｂについては、異周波数ｆ２の品質の測定が不要であると記述されているので、移動局２２と通信リンクを確立している全てのセルＣ３ｂについて異周波数ｆ２の品質の測定が要であるという条件を満たさない。このため、異周波測定要否判定手段１３ａは、異周波数ｆ２の品質の測定を移動局２２に実施させる必要がないと判定する。そして、コンプレストモード設定手段１３ｂは、異周波数の品質の測定を移動局２２に実施させる必要がないと判定された場合、その移動局２２についてコンプレストモードが起動中であるかどうかを判定し、その移動局２２についてコンプレストモードが起動中である場合、その移動局２２および無線基地局２１ｂにコンプレストモードを停止するように指示する。
【００５３】
そして、移動局２２および無線基地局２１ｂは、コンプレストモードを停止するように無線制御装置１１から指示されると、移動局２２はバンドオーバ先の候補となる異周波数ｆ２の品質の測定を中止するとともに、無線基地局２１ｂは、コンプレストモードの起動に伴って停止されていた区間についてのデータの送信を再開する。
そして、移動局２２は、セルＣ３ｂにおける通信リンクを確立しながら無線ゾーンＺｃ１の方向に移動すると（Ｐ４）、セルＣ３ｂにおける通信リンクを維持しながら、セルＣ５ａにおける通信リンクを新たに確立する。そして、セルＣ５ａにおける通信リンクが新たに確立されると、異周波測定要否判定手段１３ａは、異周波測定要否情報１２ａを参照し、移動局２２と通信リンクを確立している全てのセルＣ３ｂ、Ｃ５ａについて異周波数ｆ２の品質の測定が要であるかどうかを判定する。
【００５４】
ここで、異周波測定要否情報１２ａには、移動局２２と通信リンクを確立しているセルＣ５ａについては、異周波数ｆ２の品質の測定が不要であると記述されているので、移動局２２と通信リンクを確立している全てのセルＣ３ｂ、Ｃ５ａについて異周波数ｆ２の品質の測定が要であるという条件を満たさない。このため、異周波測定要否判定手段１３ａは、異周波数ｆ２の品質の測定を移動局２２に実施させる必要がないと判定し、コンプレストモードの起動が防止される。
【００５５】
さらに、移動局２２は、セルＣ３ｂ、Ｃ５ａにおける通信リンクを確立しながら無線ゾーンＺｃ１の方向に移動すると（Ｐ５）、セルＣ３ｂにおける通信リンクを削除する。そして、セルＣ３ｂにおける通信リンクが削除されると、異周波測定要否判定手段１３ａは、異周波測定要否情報１２ａを参照し、移動局２２と通信リンクを確立している全てのセルＣ５ａについて異周波数ｆ２の品質の測定が要であるかどうかを判定する。
【００５６】
ここで、異周波測定要否情報１２ａには、移動局２２と通信リンクを確立しているセルＣ５ａについては、異周波数ｆ２の品質の測定が不要であると記述されているので、移動局２２と通信リンクを確立している全てのセルＣ５ａについて異周波数ｆ２の品質の測定が要であるという条件を満たさない。このため、異周波測定要否判定手段１３ａは、異周波数ｆ２の品質の測定を移動局２２に実施させる必要がないと判定し、コンプレストモードの起動が防止される。
【００５７】
図３は、本発明の一実施形態に係るコンプレストモードの設定方法を示すフローチャートである。
図３において、異周波測定要否判定手段１３ａは、通信中のセルの追加、削除または入れ替えを契機として、異周波測定要否情報１２ａを参照し、異周波数の品質の測定を移動局２２に実施させるか否かを判定する（ステップＳ１１）。
そして、異周波数の品質の測定を移動局２２に実施させる必要があると判定された場合、コンプレストモード設定手段１３ｂは、その移動局２２についてコンプレストモードが起動中であるかどうかを判定する（ステップＳ１２）。そして、その移動局２２についてコンプレストモードが起動中でない場合、その移動局２２および無線基地局２１ａ〜２１ｃにコンプレストモードを起動するように指示する（ステップＳ１３）。
【００５８】
一方、異周波測定要否判定手段１３ａにおいて、異周波数の品質の測定を移動局２２に実施させる必要がないと判定された場合、コンプレストモード設定手段１３ｂは、その移動局２２についてコンプレストモードが起動中であるかどうかを判定する（ステップＳ１４）。そして、その移動局２２についてコンプレストモードが起動中である場合、その移動局２２および無線基地局２１ａ〜２１ｃにコンプレストモードを停止するように指示する（ステップＳ１５）。
【００５９】
図４は、本発明の一実施形態に係る異周波測定の要否の判定方法を示すフローチャートである。
図４において、異周波測定要否判定手段１３ａは、移動局２２と通信リンクを確立している全てのセルについて異周波数の品質の測定が要であるかどうかを判定する（ステップＳ２１）。そして、移動局２２と通信リンクを確立している全てのセルについて異周波数の品質の測定が要である場合、異周波数の品質の測定を移動局２２に実施させる必要があると判定する（ステップＳ２２）。
一方、異周波測定要否判定手段１３ａは、移動局２２と通信リンクを確立している１以上のセルについて異周波数の品質の測定が不要である場合、異周波数の品質の測定を移動局２２に実施させる必要がないと判定する（ステップＳ２３）。
【００６０】
図５は、本発明の一実施形態に係る異周波測定の要否の判定方法のその他の例を示すフローチャートである。
図５において、異周波測定要否判定手段１３ａは、移動局２２と通信リンクを確立している全てのセルについて異周波数の品質の測定が要であるかどうかを判定する（ステップＳ３１）。そして、移動局２２と通信リンクを確立している全てのセルについて異周波数の品質の測定が要である場合、移動局２２と通信中の１以上の無線基地局２１ａ〜２１ｃにおける送信電力値１２ｂが閾値以上であるかどうかを判定する（ステップＳ３２）。そして、移動局２２と通信中の１以上の無線基地局２１ａ〜２１ｃにおける送信電力値１２ｂが閾値以上である場合、異周波数の品質の測定を移動局２２に実施させる必要があると判定する（ステップＳ３３）。
【００６１】
一方、異周波測定要否判定手段１３ａは、移動局２２と通信リンクを確立している１以上のセルについて異周波数の品質の測定が不要であるか、または移動局２２と通信中の全ての無線基地局２１ａ〜２１ｃにおける送信電力値１２ｂが閾値より小さい場合、異周波数の品質の測定を移動局２２に実施させる必要がないと判定する（ステップＳ３４）。
【図面の簡単な説明】
【００６２】
【図１】本発明の一実施形態に係る無線制御装置が適用される移動通信システムの概略構成を示すブロック図である。
【図２】本発明の一実施形態に係る異周波間バンドオーバの制御方法を示すブロック図である。
【図３】本発明の一実施形態に係るコンプレストモードの設定方法を示すフローチャートである。
【図４】本発明の一実施形態に係る異周波測定の要否の判定方法を示すフローチャートである。
【図５】本発明の一実施形態に係る異周波測定の要否の判定方法のその他の例を示すフローチャートである。
【符号の説明】
【００６３】
１１  無線制御装置
１２  情報記憶部
１２ａ  異周波測定要否情報
１２ｂ  送信電力値
１３  制御部
１３ａ  異周波測定要否判定手段
１３ｂ  コンプレストモード設定手段
１４、１５  送受信部
２１ａ〜２１ｃ  無線基地局
２２  移動局
Ｚａ１、Ｚａ２、Ｚｂ１、Ｚｂ２、Ｚｃ１  無線ゾーン
【図１】
2008289071.tif 000003
【図２】
2008289071.tif 000004
【図３】
2008289071.tif 000005
【図４】
2008289071.tif 000006
【図５】
2008289071.tif 000007